(57)【要約】      （修正有）【課題】小型化できる撮像装置を提供する。【解決手段】電池から複数の金属端子が一体となった電池コネクタ１０３を介して電源供給され、フレキシブル基板に実装された電池コネクタ１０３が、電池室の背面側に配置される撮像装置において、撮像装置上下方向においてＳＤスロット１０５と耳環１０４の間に電池コネクタ１０３が配置される。また、撮像装置前後方向に耳環１０４、メインダイヤル１０２、レリーズボタン１０１が並んでいる、かつ、メインダイヤルユニットと電池室が重なっている。【選択図】図１（Ａ）
2014157198.tif 000002
【特許請求の範囲】
【請求項１】
電池から複数の金属端子が一体となった電池コネクタ１０３を介して電源供給され、フレキシブル基板１０８に実装された電池コネクタ１０３が、電池室１０６の背面側に配置される撮像装置において、撮像装置上下方向においてＳＤスロット１０５と耳環１０４の間に電池コネクタ１０３が配置される。また、撮像装置前後方向に耳環１０４、メインダイヤル１０２、レリーズボタン１０１が並んでいる（図１（Ａ）、図１（Ｂ））ことを特徴とする撮像装置。
【請求項２】
メインダイヤル１０２と電池室１０６が撮像装置上面から見て撮像装置前後方向に重なっている（図１（Ｂ））ことを特徴とする請求項１に記載の撮像装置。
【発明の詳細な説明】
【技術分野】
【０００１】
本発明は撮像装置に関し、特に撮像装置の電池コネクタ、操作部材の配置に関する。
【背景技術】
【０００２】
近年、電子機器の小型化に対するニーズは衰えず、特に撮像装置のように携帯される電子機器における小型化要求は非常に高い。撮像装置の高性能化が進み、撮像素子の高解像度化などにより機器の消費電力が上昇し、電源となる電池、特に充電型の二次電池にも小型で大容量かつ低コストといった優れた性能が要求されている。この二次電池は機器特有の略箱形の外形状を有しており、その１面ないし複数面にわたって端子面が露出している。
【０００３】
二次電池からの電源供給としては露出した二次電池の端子面に金属端子を接触させて導通をとるものが一般的でよく知られている。金属端子は、直接基板に半田等の手段を用いて接続されるか、非導電性の樹脂等によって複数の金属端子が一体となった電池コネクタの形で回路基板等に実装される。電子機器の小型化によって、より小型になった電池の端子面は面積が小さくなり、端子面に接触する接触部を有する電池コネクタと電池の相対位置に求められる精度は高い。そこで電池コネクタを電池が収納される電池室に直接位置決めしている。
【０００４】
電池コネクタは電池との接続を確実に行うため、電池室に精度良く位置決めされる。具体的には電池コネクタの外形の寸法基準となる凸部を電池室に設けられた案内ガイドに合わせることにより電池コネクタと電池室の相対位置を決める方法が挙げられる。また他の方法として、電池室から出ているボスを電池コネクタ穴に嵌合して電池コネクタと電池室の相対位置を決める方法が挙げられる。
【０００５】
図２（Ｃ）は従来例の撮像装置の一例で、電池コネクタ２０３は、撮像装置において電池室２０６前面に配置され、電池室２０６を覆うような大きな基板２０８に実装される。図２（Ｅ）は従来例の撮像装置の基板の一例で、電池室２０６前面に配置される回路基板２０８には電源回路、ストロボ回路などが実装される。ストロボ回路には他の実装部品に比べて大きい部品であるメインコンデンサ２１４、トランス２１０、サブコンデンサ２０９などが実装される。電池コネクタ２０３は回路基板２０８の端部近傍に配置され、ストロボ回路のトランス２１０、サブコンデンサ２０９は電池コネクタ２０３対角側の端部近傍に配置されている。
【０００６】
このように電池コネクタ２０３とトランス２１０、サブコンデンサ２０９は対角に配置され、各々離れた場所に配置されるため、各部品の実装ズレの影響が出やすい。電池コネクタ２０３を電池室２０６に位置決めしてしまうとトランス２１０、サブコンデンサ２０９の位置精度が低くなってしまう。図２（Ｄ）の従来例の撮像装置の電池室周辺の一例に示すように、具体的には、電池コネクタ２０３は電池室２０６に位置決めボス２１２で位置決めされるため、電池コネクタ２０３は電池室２０６対して、精度良く位置決めされる。
【０００７】
一方、電池コネクタ２０３はマウンターで回路基板２０８の端部近傍に位置決めボス２１１を回路基板２０８の穴２１５に入れて実装される。しかし、マウンターの位置精度は所定の誤差をもっているため、回路基板２０８の位置決めボス２１１を入れる穴２１５は位置決めボス２１１と所定のクリアランスを持っていなければならない。そのため電池コネクタ２０３は位置決めボス２１１と回路基板２０８の穴２１５のクリアランスの分だけ実装ずれが発生し、回路基板２０８に対して斜めに実装される可能性がある。
【０００８】
電池コネクタ２０３が斜めになった回路基板２０８を電池室２０６に精度良く位置決めするため、回路基板２０８は電池室２０６に対して斜めに配置される。そのため電池コネクタ２０３の対角側が大きく位置ずれしてしまい、回路基板２０８や電池コネクタ２０３の対角側に配置されるトランス２１０やサブコンデンサ２０９の位置精度が低くなってしまっていた。
【０００９】
また、回路基板２０８は先に述べたように電池室２０６に対して斜めになる可能性があるため、位置精度が必要な部品、スイッチや外部接続端子などを電池コネクタ２０３が実装された回路基板２０８上に実装することはできなかった。そのため、位置精度が必要な部品は回路基板２０８とは別に基板を設けて、配置する必要があった。
【００１０】
加えて、撮像装置には撮影時に自在に設定を変更できるよう操作しやすい操作部材が要求されている。
【００１１】
図２（Ａ）、図２（Ｂ）の従来例の撮像装置の一例で示すように、撮像装置の操作部材は、従来、撮像装置の背面から向かって右側には右手でグリップする際に操作しやすいようレリーズボタン２０１、メインダイヤル２０２などが撮像装置の上面に配置されている。撮像装置の操作性を考慮し、レリーズボタン２０１は撮像装置最前面に配置され、レリーズボタン２０１の後ろにメインダイヤル２０２が配置される。
【００１２】
撮像装置右側に配置される操作部材は撮像装置前面から背面に向かってレリーズボタン２０１、メインダイヤル２０２の順に位置し、メインダイヤル２０２の後ろには電池コネクタ２０３と耳環２０４が並んだ構成になっている。ＳＤスロット２０５はメイン基板２０７に実装されるため、電池室２０６の後ろに配置される。
【００１３】
レリーズボタン２０１、メインダイヤル２０２、耳環２０４と電池コネクタ２０３はそれぞれ撮像装置上面から見て、撮像装置前後方向には重ならない構成になっている。すなわち、操作部材は撮像装置上面右側で撮像装置の前後方向にレリーズボタン２０１、メインダイヤル２０２、電池コネクタ２０３、ＳＤスロット２０５の順で並んだ構成となっている。
【００１４】
また、撮像装置の上下方向では電池室２０６の上に耳環２０４をビス止めして固定している。耳環２０４とほぼ同じ高さに各操作部材が配置され、メインダイヤル２０２と電池コネクタ２０３は撮像装置正面から見て撮像装置上下方向に重なった構成となっている。また、ＳＤスロット２０５は撮像装置背面から見て撮像装置上下方向に、電池室２０６と重なった位置に配置している。
【００１５】
撮像装置正面から見て、メインダイヤル２０２と電池コネクタ２０３は撮像装置上下方向に重なっているため、従来では、撮像装置上面から見て撮像装置前後方向に並んで配置されていた。
【００１６】
撮像装置を小型化するために、特許文献1ではメインコンデンサの信頼性を向上させた撮像装置について言及されている。メインコンデンサが撮像素子取付け部とマウント部との間に配置されていることを特徴としている。
【先行技術文献】
【特許文献】
【００１７】
【特許文献１】特開２００９−１７５３１３号公報
【発明の概要】
【発明が解決しようとする課題】
【００１８】
従来技術では回路基板２０８に電池コネクタ２０３を実装し、撮像装置前面に電池コネクタ２０３を配置している。そのためメインダイヤル２０２、電池コネクタ２０３を撮像装置上面から見て撮像装置前後方向に並べて配置するしかなく、撮像装置の薄型化の障害になっていた。
【００１９】
加えて、電池コネクタ２０３を撮像装置前面の回路基板２０８に実装した場合、電池コネクタ２０３は回路基板２０８の端部近傍に配置される。電池コネクタ２０３は電池室２０６に位置決めされるため、電池コネクタ２０３の実装ずれの影響で電池室２０６に対して、回路基板２０８が斜めになってしまう。それにより、電池コネクタ２０３の対角側が大きく位置ずれしてしまい、不図示の周辺部品と回路基板２０８の間は大きなクリアランスを確保する必要があり、撮像装置が大型化してしまっていた。
【課題を解決するための手段】
【００２０】
電池から複数の金属端子が一体となった電池コネクタを介して電源供給され、フレキシブル基板に実装された電池コネクタが、電池室の背面側に配置される撮像装置において、撮像装置上下方向においてＳＤスロットと耳環の間に電池コネクタが配置される。また、撮像装置前後方向に耳環、メインダイヤル、レリーズボタンが並んでいる、かつ、メインダイヤルユニットと電池室が重なっていることを特徴とする。
【発明の効果】
【００２１】
本発明によれば電池コネクタを撮像装置背面に移動することで、メインダイヤルを電池コネクタのあったスペースへ移動し、薄型化が可能になる。また、電池コネクタを小さい回路基板かつフレキに実装することで実装ずれの影響を抑え、機器の小型化が可能になる。
【図面の簡単な説明】
【００２２】
【図１（Ａ）】本発明に係る撮像装置の上面図である。
【図１（Ｂ）】本発明に係る撮像装置の外装カバーを取り外した側面図である。
【図１（Ｃ）】本発明に係る撮像装置の外装カバーを取り外した背面図である。
【図１（Ｄ）】本発明に係る撮像装置の電池室近傍の背面図である。
【図１（Ｅ）】本発明に係る撮像装置の電池室近傍の分解斜視図である。
【図２（Ａ）】従来例の撮像装置の上面図である。
【図２（Ｂ）】従来例の撮像装置の外装カバーを取り外した側面図である。
【図２（Ｃ）】従来例の撮像装置の外装カバーを取り外した斜視図である。
【図２（Ｄ）】従来例の撮像装置の電池室近傍の分解斜視図である。
【図２（Ｅ）】従来例の撮像装置の電池コネクタを実装した基板の背面図である。
【図２（Ｆ）】従来例の撮像装置の背面図である。
【発明を実施するための形態】
【００２３】
以下に、本発明の好ましい実施の形態を、添付の図面に基づいて詳細に説明する。
【００２４】
［実施例１］
以下、図１（Ａ）〜（Ｅ）、図２（Ｃ）〜（Ｆ）を参照して、本発明の第1の実施例による、撮像装置について説明する。
【００２５】
図２（Ｆ）の従来例の撮像装置の一例に示すように、撮像装置本体は、電源である電池を収納する電池室２０６と、電池を収納状態で保持する電池蓋２１３を有し、電池蓋２１３は撮像装置本体に開閉可能に取り付けられている。電池は電池蓋２１３を開いた状態で電池室２０６の開口部から挿入されて電池室２０６に収納される。電池が電池室２０６に挿入される方向Ｆ（撮像装置本体の底面側から上方に向かう方向）において、電池室２０６の開口部と反対側端部には、本図に不図示の電池と電気的に接続可能な接触部を有する電池コネクタ２０３が設けられている。
【００２６】
本発明の特徴的な部分についてさらに説明する。
【００２７】
図２（Ｃ）、図２（Ｄ）の従来例の撮像装置の一例のように、電池コネクタ２０３は撮像装置前面の回路基板２０８に実装され、電池室２０６に位置決めしている。図２（Ａ），図２（Ｂ）の従来例の撮像装置の一例のようにメインダイヤル２０２と電池コネクタ２０３は撮像装置上下方向に同じ位置に、撮像装置正面から見て重なる位置に配置されている。そのためメインダイヤル２０２、電池コネクタ２０３は撮像装置前後方向に並べて配置するしかなく、撮像装置の薄型化の障害になっていた。メインダイヤル２０２、電池コネクタ２０３を撮像装置前後方向に同じ位置に、撮像装置上面から見て重ねて配置するには、メインダイヤル２０２を上に移動し、電池コネクタ２０３の上に配置しなければならず、撮像装置の上下寸法が大きくなってしまい、大型化してしまっていた。
【００２８】
加えて、電池コネクタ２０３を撮像装置前面の回路基板２０８に実装した場合、不図示の周辺部品と回路基板２０８の間は大きなクリアランスを確保する必要があり、大型化となっていた。
【００２９】
本発明の最も特徴的なところは、図１(Ａ)、図１（Ｂ）の本発明に係る撮像装置の一例のごとく、電池コネクタ１０３を撮像装置背面に移動することで、メインダイヤル１０２を撮像装置前面の電池コネクタ１０３のあったスペースへ移動した構成である。撮像装置前面に電池コネクタ１０３がなくなったことでメインダイヤル１０２と耳環１０４が撮像装置上面から見て重ならない位置まで撮像装置前後方向で背面へ移動することが可能となり、薄型化が可能になる。さらに撮像装置上面から見て、電池室１０６と重なる位置までメインダイヤル１０２を背面側に移動することが可能となり、メインダイヤル１０２と耳環１０４の間のスペースを最小にしてさらなる薄型化が可能となる。
【００３０】
また、電池コネクタ１０３を撮像装置背面に移動したことで電池室１０６前面にある電源回路やストロボ回路が実装された回路基板１０８は電池室１０６に直接位置決めすることが可能になる。電池室１０６のボスに回路基板１０８を直接位置決めするため、電池コネクタ１０３の実装ずれによる電池室１０６に対する回路基板１０８の回転ずれが発生せず、精度良く位置決めすることができる。電池室１０６前面の回路基板１０８に実装されたトランス２１０、サブコンデンサ２０９と不図示の周辺部品のクリアランスを従来のように大きくとらずに済み、撮像装置を小型化することができる。
【００３１】
図１（Ｄ）の本発明に係る撮像装置のように電池室１０６背面側については電池コネクタ１０３が実装された基板１０８が配置され、撮像装置上下方向においてＳＤスロット１０５と耳環１０４の間に電池コネクタ１０３が配置される。
【００３２】
図１（Ｃ）の本発明に係る撮像装置のように電池コネクタ１０３が実装された基板１０８をメイン基板１０７に実装されたＳＤスロット１０５を避けた形状にする。それにより、図１（Ａ）、図１（Ｂ）の本発明に係る撮像装置に示すように、電池コネクタ１０３を実装した基板１０８とＳＤスロット１０５を撮像装置前後方向に重ねて配置する構成が可能になり、撮像装置を薄型化できる。また、図１（Ｄ）に示すように、ＳＤスロット１０５の上の空間に配置される電池コネクタ１０３が実装された基板１０８を小さくし、電池コネクタ１０３の実装ずれによって発生した回路基板１０８の回転ずれを小さく抑えることが可能になる。
【００３３】
１（Ｅ）の本発明に係る撮像装置のように電池コネクタ１０３が実装された回路基板１０８をフレキシブルプリント配線板にすることで電池コネクタ１０３を電池室１０６へ位置決めする際に発生する回路基板１０８の位置ずれを緩和できる。さらに位置精度が必要なスイッチ１０９と電池コネクタ１０３との間を細くし、カバーレイ開口部を設けることで回路基板１０８の位置ずれをさらに緩和できる。別基板を設けることなく、電池コネクタ１０３を実装した基板１０８にスイッチ１０９を実装することができ、部品点数を減らし、コストダウンを可能にしている。
【００３４】
以上、本発明の好ましい実施形態について説明したが、本発明はこれらの実施形態に限定されず、その要旨の範囲内で種々の変形及び変更が可能である。
【符号の説明】
【００３５】
１０１：レリーズボタン
１０２：メインダイヤル
１０３：電池コネクタ
１０４：耳環
１０５：ＳＤスロット
１０６：電池室
１０７：メイン基板
１０８：電池コネクタを実装した基板
１０９：スイッチ
２０１：レリーズボタン
２０２：メインダイヤル
２０３：電池コネクタ
２０４：耳環
２０５：ＳＤスロット
２０６：電池室
２０７：メイン基板
２０８：電池コネクタを実装した基板
２０９：サブコンデンサ
２１０：トランス
２１１：電池コネクタの基板位置決めボス
２１２：電池室の電池コネクタ位置決めボス
２１３：電池蓋
２１４：メインコンデンサ
２１５：穴
【図１（Ａ）】
2014157198.tif 000003
【図１（Ｂ）】
2014157198.tif 000004
【図１（Ｃ）】
2014157198.tif 000005
【図１（Ｄ）】
2014157198.tif 000006
【図１（Ｅ）】
2014157198.tif 000007
【図２（Ａ）】
2014157198.tif 000008
【図２（Ｂ）】
2014157198.tif 000009
【図２（Ｃ）】
2014157198.tif 000010
【図２（Ｄ）】
2014157198.tif 000011
【図２（Ｅ）】
2014157198.tif 000012
【図２（Ｆ）】
2014157198.tif 000013